(57)【特許請求の範囲】
【請求項１】
少なくとも、着色剤及び水を含有し、かつ、シトルリン及びアセチルシトルリンの中から選ばれる少なくとも１種を含有することを特徴とする水性インキ組成物。
【請求項２】
シトルリン及びアセチルシトルリンの中から選ばれる少なくとも１種の含有量がインキ組成物全量に対して０．０１〜１０重量％含有することを特徴とする請求項１記載の水性インキ組成物。
【請求項３】
更に、酸素吸収剤を含有することを特徴とする請求項１又は２記載の水性インキ組成物。
【請求項４】
酸素吸収剤が、システイン及びその誘導体、または、一つ以上のシステイン残基を含むアミノ酸の重合体の中から選ばれる少なくとも１種であることを特徴とする請求項３記載の水性インキ組成物。
【請求項５】
水性インキ組成物が、ボールペン、マーキングペンに搭載される請求項１〜４の何れか一つに記載の水性インキ組成物。
【請求項６】
請求項１〜５の何れか一つに記載の水性インキ組成物がボールペン用インキ収容体に収容されると共に、該インキ収容体内に収容された水性インキ組成物とは相溶性がなく、かつ、該水性インキ組成物に対して比重が小さい物質がインキ追従体として収容されていることを特徴とするボールペン。
【発明の詳細な説明】
【技術分野】
【０００１】
本発明は、ボールペン、マーキングペン等の筆記具用等に好適な水性インキ組成物に関し、更に詳しくは、長期間にわたり気泡の発生抑制効果を持った水性インキ組成物に関する。
【背景技術】
【０００２】
従来より、水性インキを搭載したボールペンやマーカーなどの筆記具、インクジェットプリンター用カートリッジは、経時的に記録体内で発生した気泡によって、インキ流出量の不安定化や、吐出部からのインキ噴き出し、または、全く逆にインキ吐出不能などの様々な不具合を生じることがある。
【０００３】
そこで、気泡抑制・除去に関して、様々な手法が採られている。通常、インキ中の気泡の除去に関しては、減圧処理など機械的な手法が用いられている場合があるが、完全な除去は困難な場合が多く、たとえ肉眼で観察できるレベルの気泡除去が行われてとしても、インキ中に溶存した空気が、温度変化等によって析出するなど、その効果に関しては未だ完全とは言えないものである。
【０００４】
そのため、インキ中で発生する気泡の除去を行うために、インキ中に特定の物質を添加する手法が幾つか提案等されている。例えば、少なくとも着色剤、水、水溶性有機溶剤、剪断減粘性付与剤を含んでなる水性インキ組成物において、亜硫酸塩、スルホキシル酸塩、亜ジチオン酸塩、チオ硫酸塩から選ばれる一種又は２種以上の化合物を含んでなる筆記具用水性インキ組成物（例えば、特許文献１参照）が知られている。
しかしながら、この筆記具用水性インキ組成物では、亜硫酸塩、スルホキシル酸塩、亜ジチオン酸塩、チオ硫酸塩などの塩類は他のインキ中の添加物に影響を与えやすく、インキを長期間、安定で保持するために様々な工夫が必要となり、また、インキに配合できるものが制限される等の課題がある。
【０００５】
一方、本願出願人は、少なくとも、着色剤及び水を含有し、かつ、Ａ群：システイン及びその誘導体、並びに、Ｂ群：一つ以上のシステイン残基を含むアミノ酸の重合体の中から選ばれる少なくとも１種をインキ組成物全量に対して０．０１〜１０重量％含有することを特徴とする水性インキ組成物を提案している（例えば、特許文献２参照）。
この水性インキ組成物は、長期的に気泡の発生を抑制することができると共に、経時的にも安定性に優れたものであるが、ペン体にインキを充填後、一定期間経過に後発的に発生した気泡、例えば経時保管後にペン体に落下等の衝撃が加えられて発生した気泡や、ノック式筆記具において、ノック時の衝撃によりチップ先端からチップ内に入り込んだ気泡に対しては、時間の経過にしたがって起泡除去効果が低下するなどの課題が若干生じている。
【特許文献１】特開２００２−８０７７０号公報（特許請求の範囲等）
【特許文献２】特開２００４−２１７８２６号公報（特許請求の範囲、実施例等）
【発明の開示】
【発明が解決しようとする課題】
【０００６】
本発明は、上記従来の課題及び現状に鑑み、これを解消しようとするものであり、長期間にわたって気泡の発生を抑制し、かつ、経時保管後に筆記具（ノック式筆記具を含む）内に発生した気泡に対しても、優れた気泡除去効果を有し、更に経時安定性に優れた水性インキ組成物を提供することを目的とする。
【課題を解決するための手段】
【０００７】
本発明者らは、上記従来の課題等について、鋭意検討した結果、少なくとも、着色剤及び水を含有した水性インキ組成物に特定の化合物を含有することにより、水性インキ組成物の本来のインキ特性を損なうことなく、上記目的の水性インキ組成物が得られることを見い出し、本発明を完成するに至ったのである。
すなわち、本発明は、次の（１）〜（６）に存する。
（１）  少なくとも、着色剤及び水を含有し、かつ、シトルリン及び一つ以上のシトルリン残基を含むアミノ酸の重合体の中から選ばれる少なくとも１種を含有することを特徴とする水性インキ組成物。
（２）  シトルリン及び一つ以上のシトルリン残基を含むアミノ酸の重合体の中から選ばれる少なくとも１種の含有量がインキ組成物全量に対して０．０１〜１０重量％含有することを特徴とする上記（１）記載の水性インキ組成物。
（３）  更に、酸素吸収剤を含有することを特徴とする上記（１）又は（２）記載の水性インキ組成物。
（４）  酸素吸収剤が、システイン及びその誘導体、または、一つ以上のシステイン残基を含むアミノ酸の重合体の中から選ばれる少なくとも１種であることを特徴とする上記（３）記載の水性インキ組成物。
（５）  水性インキ組成物が、ボールペン、マーキングペンに搭載される上記（１）〜（４）の何れか一つに記載の水性インキ組成物。
（６）  上記（１）〜（５）の何れか一つに記載の水性インキ組成物がボールペン用インキ収容体に収容されると共に、該インキ収容体内に収容された水性インキ組成物とは相溶性がなく、かつ、該水性インキ組成物に対して比重が小さい物質がインキ追従体として収容されていることを特徴とするボールペン。
とは相溶性がなく、かつ、該水性インキ組成物に対して比重が小さい物質がインキ追従体として収容されていることを特徴とするボールペン。
【発明の効果】
【０００８】
本発明によれば、長期間にわたって気泡の発生を抑制し、かつ、経時保管後に筆記具等に衝撃等が加えられた場合や、ノック式筆記具に用いた場合などにおいても、後発的に発生した気泡を除去することができ、更に経時安定性に優れた水性インキ組成物が提供される。
【発明を実施するための最良の形態】
【０００９】
以下に、本発明の実施形態を詳しく説明する。
本発明の水性インキ組成物は、少なくとも、着色剤及び水を含有し、かつ、シトルリン及び一つ以上のシトルリン残基を含むアミノ酸の重合体の中から選ばれる少なくとも１種を含有することを特徴とするものである。
【００１０】
本発明に用いるシトルリンとしては、例えば、（Ｌ−）シトルリン、アセチルシトルリンなどが挙げられる。
なお、シトルリン〔２−アミノ−５−（カルバモイルアミノ）ぺンタン酸、Ｃ６Ｈ１３Ｎ３Ｏ３〕は、アミノ酸の一種で、尿素回路を構成する化合物の１つであり、今まで水性インキ組成物に用いること、水性インキ組成物中に含有した場合に、長期間にわたって気泡の発生を抑制し、かつ、経時保管後に筆記具等に衝撃等が加えられた場合などにおいても発生した気泡を除去することができ、更に経時安定性に優れた機能を発揮することについては今まで全く知られていないものである。
【００１１】
また、本発明に用いる一つ以上のシトルリン残基を含むアミノ酸の重合体としては、一つ以上のシトルリン残基〔−ＮＨ−ＣＨ（ＣＯＯＨ）−（ＣＨ２）３−ＮＨ−ＣＯ−ＮＨ−〕を含むアミノ酸の重合体であれば、特に限定されないが、好ましくは、その重合数が２〜５であるものが望ましい。重合数が５を越えると、インキ粘度の上昇や、シトルリン残基同士の分子内共有結合が発生し、気泡抑制効果が低減することとなり、好ましくない。
これらのシトルリン及び一つ以上のシトルリン残基を含むアミノ酸の重合体は、夫々単独で、または、２種以上を混合して用いることができる。
これらの中で特に好ましくは、食品添加物としてその安全性が認められ、入手性、使用性に優れると共に、更にインキ組成中での経時的安定性にも優れる点から、（Ｌ−）シトルリン、アセチルシトルリンの使用が望ましい。
【００１２】
これらのシトルリン及び一つ以上のシトルリン残基を含むアミノ酸の重合体の合計含有量は、インキ組成物全量に対して、０．０１〜１０重量％とすることが好ましく、更に好ましくは、０．０５〜５重量％、特に好ましくは、０．１〜１重量％とすることが望ましい。
この含有量が、０．０１重量％未満では、十分な気泡抑制効果・持続効果が得られず、逆に１０重量％を越えると、インキの安定性が損なわれるため、好ましくない。
【００１３】
本発明に用いる着色剤としては、水に溶解もしくは分散する全ての染料、酸化チタン等の従来公知の無機系および有機顔料系、顔料を含有した樹脂粒子顔料、樹脂エマルションを染料で着色した疑似顔料、白色系プラスチック顔料、シリカや雲母を基材とし表層に酸化鉄や酸化チタンなどを多層コーティングした顔料等を制限なく使用することができる。
染料としては、例えば、エオシン、フオキシン、ウォーターイエロー＃６−Ｃ、アシッドレッド、ウォーターブルー＃１０５、ブリリアントブルーＦＣＦ、ニグロシンＮＢ等の酸性染料；ダイレクトブラック１５４，ダイレクトスカイブルー５Ｂ、バイオレットＢＢ等の直接染料；ローダミン、メチルバイオレット等の塩基性染料などが挙げられる。
【００１４】
無機系顔料としては、例えば、アゾレーキ、不溶性アゾ顔料、キレートアゾ顔料、フタロシアニン顔料、ペリレンおよびペリノン顔料、ニトロソ顔料などが挙げられる。より具体的には、カーボンブラック、チタンブラック、亜鉛華、べんがら、アルミニウム、酸化クロム、鉄黒、コバルトブルー、酸化鉄黄、ビリジアン、硫化亜鉛、リトポン、カドミウムエロー、朱、カドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺白、紺青、マンガンバイオレット、アルミニウム粉、真鍮粉等の無機顔料、Ｃ．Ｉ．ピグメントブルー１７、Ｃ．Ｉ．ピグメントブルー１５、Ｃ．Ｉ．ピグメントブルー１７、Ｃ．Ｉ．ピグメントブルー２７、Ｃ．Ｉ．ピグメントレッド５、Ｃ．Ｉ．ピグメントレッド２２、Ｃ．Ｉ．ピグメントレッド３８、Ｃ．Ｉ．ピグメントレッド４８、Ｃ．Ｉ．ピグメントレッド４９、Ｃ．Ｉ．ピグメントレッド５３、Ｃ．Ｉ．ピグメントレッド５７、Ｃ．Ｉ．ピグメントレッド８１、Ｃ．Ｉ．ピグメントレッド１０４、Ｃ．Ｉ．ピグメントレッド１４６、Ｃ．Ｉ．ピグメントレッド２４５、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー３４、Ｃ．Ｉ．ピグメントイエロー５５、Ｃ．Ｉ．ピグメントイエロー７４、Ｃ．Ｉ．ピグメントイエロー９５、Ｃ．Ｉ．ピグメントイエロー１６６、Ｃ．Ｉ．ピグメントイエロー１６７、Ｃ．Ｉ．ピグメントオレンジ５、Ｃ．Ｉ．ピグメントオレンジ１３、Ｃ．Ｉ．ピグメントオレンジ１６、Ｃ．Ｉ．ピグメントバイオレット１、Ｃ．Ｉ．ピグメントバイオレット３、Ｃ．Ｉ．ピグメントバイオレット１９、Ｃ．Ｉ．ピグメントバイオレット２３、Ｃ．Ｉ．ピグメントバイオレット５０、Ｃ．Ｉ．ピグメントグリーン７等が挙げられる。
これらの着色剤は、単独で、又は２種以上を混合して用いることができる。
これらの着色剤の含有量は、インキの描線濃度に応じて適宜増減することが可能であるが、インキ組成物全量に対して、０．１〜４０重量％程度とすることが好ましい。
【００１５】
本発明に用いる水は、インキの主溶剤として含有するものであり、例えば、イオン交換水、蒸留水、精製水、純水、海洋深層水などが好ましく用いられる。
これらの水の含有量は、インキ組成物全量に対して、３０〜８０重量％とすることが好ましい。
この水の含有量が３０％未満であると、インキの吐出性が劣る場合があり、筆記流量の低下を招くことがある。一方、８０％を越えてより多いと、耐乾燥性の低下や筆記感の低下、インキの経時安定性の低下を招くことがある。
【００１６】
本発明の水性インキ組成物では、上記各成分以外に調整剤等として、以下に例示するような任意成分を組み合わせて筆記具用（ボールペン用、マーキングペン用）インキ、インキジェット印刷用インキなどの水性インキの用途に応じて適宜含有することができる。
顔料の分散樹脂としては、例えば、スチレンマレイン酸のアンモニウム塩、スチレンアクリル酸のアンモニウム塩などの水溶性高分子など；粘度調整剤としては、例えば、アクリル系合成高分子、天然ガム、セルロース、多糖類等；水溶性液体媒体としては、例えば、プロピレングリコール、グリセリン、ポリエチレングリコールなどの多価アルコール類、グリセリンのアルキレンオキサイド付加物およびトリメチロールプロパンのアルキレンオキサイド付加物およびこれらの混合物など；界面活性剤（潤滑剤）としては、カリ石けん、リシノール酸カリウムなど；防錆剤としては、ベンゾトリアゾール、サポニン類等；ｐＨ調整剤としては水酸化カリウム、リン酸カリウム、トリエタノールアミン等；防腐剤としてはナトリウムオマジン、１，２−ベンゾイソチアゾリン等をそれぞれ必要に応じて使用することができる。
【００１７】
更に、本発明では、更なる本発明の効果の向上を発揮せしめる点から、酸素吸収剤を含有せしめることが望ましい。
本発明で規定する「酸素吸収剤」とは、インキ組成物中の溶存酸素濃度を減じる効果を有する物質をいい、例えば、ポリフェノール類，アミン類、その他の酸素吸収剤が挙げられ、具体的には以下の物質が例示される。
ポリフェノール類としては、例えば、ハイドロキノンン、カテコール、ピロガロール、フロログルシン、レゾルシン、２，３，４−ヒドロキシベンゾフェノン、２，３，５−トリメチルハイドロキノン、コウジ酸、フェルラ酸、クロロゲン酸、エラグ酸、ロスマリン酸、カテキン、セサモール、オレウロペイン及びこれらの誘導体が挙げられる。
アミン類としては、例えば、アルカノールアミン、芳香族アミン、ヒドロキシルアミン、システアミンが挙げられる。
その他の酸素吸収剤としては、例えば、アスコルビン酸及びその誘導体、α−トコフェロール、α−グルコシルルチン、プロアントシアニジン、α−グルコシルルチン、α−マルトシルルチン、α−マルトトリオシルルチン、α−マルトテトラオシルルチン、α−マルトペンタオシルルチン、ヒドロキシチロソール、フィチン酸、コリン、Ｎ−ビニル−２−ピロリドンのオリゴマー（２〜２０量体）、亜硫酸塩、スルホキシル酸塩、亜ジチオン酸塩、チオ硫酸塩、二酸化チオ尿素、ホルムアミジンスルフィン酸、ホスホン酸塩、ホスフィン酸塩、アセトアルドキシム、プロピオンアルドキシム、ジメチルケトキシム、エチルメチルケトキシム、ジエチルケトキシム、システインやその誘導体、システイン残基を有するアミノ酸の重合体が挙げられる。
【００１８】
上記システイン及びその誘導体としては、例えば、（Ｌ−）システイン、Ｎ−アセチル−Ｌ−システイン、（Ｌ−）システイン塩酸塩、（Ｌ−）システインエチルエステル塩酸塩、（Ｌ−）システインメチルエステル塩酸塩などが挙げられる。
また、システイン残基を有するアミノ酸の重合体としては、一つ以上のシステイン残基〔−ＮＨ−ＣＨ（ＣＨ２ＳＨ）−ＣＯ−〕を含むアミノ酸の重合体であれば、特に限定されないが、好ましくは、その重合数が２〜１０であるものが望ましく、例えば、グルタチオン（グルタミン酸・システイン・グリシンのトリペプチド）、酸化型グルタチオン、γ−Ｌ−グルタミル−Ｌ−システイン（グルタミン酸・システインのジペプチド）などが挙げられる。なお、重合数が１０を越えると、インキ粘度の上昇や、システイン残基同士の分子内共有結合が発生し、気泡抑制効果が低減することとなり、好ましくない。
これらのシステイン及びその誘導体、並びに、アミノ酸の重合体を含む酸素吸収剤は、夫々単独で、または、２種以上を混合して用いることができる。
【００１９】
これらの酸素吸収剤の中でも気泡抑制効果、インキ組成物としての安定性、金属部材への腐食性等の性能及び価格から、システインやその誘導体、システイン残基を有するアミノ酸の重合体を使用することが好ましく、更に好ましくは、Ｎ−アセチル−Ｌ−システイン、グルタチオンの使用が望ましい。
なお、酸素吸収性能の測定にあたっては、市販されている溶存酸素測定器、例えばＤＯ４０２Ｇ（横河電機社製）を利用して、通常の手法に従い、酸素吸収剤添加前後におけるインキ中の溶存酸素濃度を測定することで確認することができる。
【００２０】
これらのシステイン及びその誘導体、並びに、アミノ酸の重合体を含む上記酸素吸収剤の合計含有量は、インキ組成物全量に対して、０．０１〜５重量％とすることが好ましく、更に好ましくは、０．０５〜３重量％、特に好ましくは、０．１〜２重量％とすることが望ましい。
これらの酸素吸収剤の含有量が、０．０１重量％未満では、更なる本発明の効果の向上が期待できず、逆に５重量％を越えると、インキの安定性が損なわれるため、好ましくない。
【００２１】
本発明の水性インキ組成物は、水性インキ組成物の用途等に応じて、好適な粘度範囲とすることができ、チキソトロピー性インキ（例えば、ゲルインキ水性ボールペン用インキ）の場合は、２５℃の条件下においてＥＭＤ型粘度計で測定した剪断速度３．８３／ｓの粘度値を、好ましくは、２０〜３０００ｍＰａ・ｓの範囲、更に好ましくは、５０〜２０００ｍＰａ・ｓの範囲とすることが望ましい。
この剪断速度３．８３／ｓの粘度値を、２０〜３０００ｍＰａ・ｓの範囲にすることにより、更に経時的なインキの分離が発生せず、且つ筆記感が更に良好なインキとすることができる。
また、チキソトロピー性インキ（例えば、ゲルインキ水性ボールペン用インキ）の場合、２５℃の条件下においてＥＭＤ型粘度計で測定した剪断速度３８３／ｓの粘度値を、好ましくは、５〜２００ｍＰａ・ｓ、更に好ましくは、１０〜１５０ｍＰａ・ｓの範囲とすることが望ましい。
この剪断速度３８３／ｓの粘度値の粘度値を、５〜２００ｍＰａ・ｓの範囲にすることにより、筆記時におけるインキ粘度が適正な範囲となり、更に良好な筆記性を実現することができる。
【００２２】
更に、本発明の水性インキ組成物がニュートニアン性インキ（例えば、低粘度水性ボールペン用インキ）の場合は、２５℃の条件下においてＥＬＤ型粘度計で測定した剪断速度１９２／ｓの粘度値を、好ましくは、１〜２０ｍＰａ・ｓ、更に、好ましくは、２〜１０ｍＰａ・ｓの範囲とすることが望ましい。
この剪断速度１９２／ｓの粘度値を、１〜２０ｍＰａ・ｓの範囲にすることにより、更に安定な筆記性を示すボールペン用インキを実現することができる。
なお、上記各粘度範囲において、ＥＭＤ型粘度計で測定した剪断速度３．８３／ｓの粘度範囲、剪断速度３８３／ｓの粘度の粘度範囲と、ＥＬＤ型粘度計で測定した剪断速度１９２／ｓの粘度範囲とを規定したのは、各々のインキ粘度特性を示すために、適切な測定領域となるためである。
【００２３】
本発明の水性インキ組成物の製造方法は、他の水性インキ組成物の製造方法と比べて特に変わるところはなく製造することができる。
すなわち、本発明の水性インキ組成物は、上述した各成分をミキサー等によって混合攪拌することによって、各種用途の水性インキ組成物、例えば、チキソトロピー性インキ（例えば、ゲルインキ水性ボールペン用インキ）、ニュートニアン性インキ（例えば、低粘度水性ボールペン用インキ）、インクジェットプリンター用インキなどを製造することができる。
また、本発明の水性インキ組成物のｐＨ（２５℃）は、使用性、安全性、インキ自身の安定性、インキ収容体とのマッチング性の点からｐＨ調整剤などにより５〜１０に調整されることが好ましく、更に好ましくは、６〜９．５とすることが望ましい。本発明では、一般の水性インキ組成物は、経時によりｐＨが低下する傾向を示すが、本願発明の水性インキ組成物はｐＨの低下が緩和されるという特性がある。
【００２４】
本発明の水性インキ組成物は、ボールペンチップ、繊維チップ、フェルトチップ、プラスクチップなどのペン先部を備えたボールペン、マーキングペンや、インクジェットプリンター用カートリッジに搭載される。
本発明におけるボールペンとしては、上記構成の水性インキ組成物をボールペン用インキ収容体（リフィール）に収容すると共に、該インキ収容体内に収容された水性インキ組成物とは相溶性がなく、かつ、該水性インキ組成物に対して比重が小さい物質、例えば、ポリブテン、シリコーンオイル、鉱油等がインキ追従体として収容されるものが挙げられる。
なお、ボールペン、マーキングペンや、インクジェットプリンターの構造は、特に限定されず、例えば、筆記具用にあっては、軸筒自体をインキ収容体として該軸筒内に上記構成の水性インキ組成物を充填したコレクター構造（インキ保持機構）を備えた直液式のボールペン、マーキングペンであってもよいものである。
【００２５】
このように構成される本発明の水性インキ組成物が、何故長期間にわたって、また、長期保管後であっても衝撃等により生じた気泡の発生を抑制する機能を発現するかは以下のように推察される。
すなわち、少なくとも水及び着色剤を含有した水性インキ組成物中に、シトルリン及び一つ以上のシトルリン残基を含むアミノ酸の重合体の中から選ばれる少なくとも１種を含有せしめると、インキ中の酸素と反応して気泡発生抑制効果を発現し、しかも、長期保管後であっても衝撃等により生じた気泡の発生も水性インキ組成物中に残存するシトルリン等により、気泡の発生を抑制しその抑制効果を長期に亘って持続する機能を発現するものと推察される。なお、従来の気泡抑制剤は、水性インキ組成物充填時や充填中に生じた気泡の発生を抑制するものであるが、時間の経過に従ってその効果が減ずるという課題があった。
また、本発明で用いる上記シトルリン及び一つ以上のシトルリン残基を含むアミノ酸の重合体の中から選ばれる少なくとも１種は、経時的にインキの変色を生じせしめたりすることもなく、また、色剤として顔料を使用した場合にも顔料の凝集を発生させることもなく、かつ、気泡抑制効果・持続高価が極めて優れているために多くの含有量が必要でなく、しかも、その効果の発現期間・持続時間も長く、更に水溶性であるために経時的な安定性にも優れたものとなる。
【実施例】
【００２６】
次に、実施例及び比較例により、本発明を更に詳細に説明するが、本発明は下記実施例に限定されるものではない。
【００２７】
〔実施例１〜８及び比較例１〜６〕
下記表１に示す配合組成で、常法により本発明範囲となる水性インキ組成物（実施例１〜８）及び本発明の範囲外となる比較インキ（比較例１〜６）を調製した。
得られた各水性インキ組成物の各粘度、ｐＨを下記各方法により測定した。これらの結果を下記表１に示す。
【００２８】
また、得られた各水性インキ組成物において、実施例１〜８及び比較例１〜６に関しては、下記構成のノック式水性ボールペン体（三菱鉛筆社製、ｕｎｉ−ｂａｌｌ  ＳｉｇＮｏ、ボール径φ０．７ｍｍ）のポリプロピレン製のインキ収容管（内径：４ｍｍ、長さ：１１０ｍｍのリフィール）に１ｇ充填し、水性ボールペンを作製した。なお、インキ追従体として、各水性インキに対して比重の軽いポリブテンを０．１５ｇ用いて、フィール内に充填した水性インキの後端部に接触状態で充填した。
【００２９】
上記で得られた各水性ボールペンについて、下記各評価方法により、初期筆記性、経時後の気泡発生、並びに、衝撃後の気泡発生状況等について評価した。
これらの結果を下記表１に示す。
【００３０】
（粘度の測定方法）
ＥＭＤ型粘度計での測定：
ＶＩＳＣＯＭＥＴＥＲ  ＲＥ１１０Ｒ（東機産業社製）により、上記２５℃、剪断速度３．８３／ｓ及び剪断速度３８３／ｓでの条件下において測定した。
【００３１】
（ｐＨの測定方法）
初期にｐＨ（２５℃）を測定したインキを蓋付きのガラス瓶に充填して、５０℃の条件下で１ヶ月間保管してｐＨ（２５℃）を測定した。ｐＨ測定は、ＨＯＲＩＢＡ  ｐＨ／ＩＯＮ  ＭＥＴＥＲ  Ｆ−２３（ＨＯＲＩＢＡ社製）により測定した。
【００３２】
(1) 筆記性の評価方法
実施例１〜８及び比較例１〜６の各配合組成によって得られた水性インキ組成物をそれぞれ上記の各ボールペン体に充填し、ペン先を下向きにして、５０℃、３０％ＲＨの雰囲気下で１ヶ月保管し、先の期間が経過した後に、ペン先を上向きのまま室温で６時間放置し、直径約２ｃｍの円を連続して３０個筆記して、その筆記性を下記評価基準で評価した。
評価基準：
○：描線が良好に筆記できる
△：長さ１ｃｍ未満の描線途切れが発生する。
×：長さ１ｃｍ以上の描線途切れが発生する。
【００３３】
(2) 経時後の気泡発生状況の評価方法、経時後における衝撃後の気泡発生状況の評価方法
＜経時後の気泡発生状況の評価方法＞
実施例１〜８及び比較例１〜６の各配合組成によって得られたインキをそれぞれ上記のボールペン体に充填し、ペン先を下向きにして、５０℃、３０％ＲＨの雰囲気下で１ヶ月保管し、左記の期間が経過した後に、ペン先を下向きのまま室温で６時間放置し、インキとインキ追従体界面に出現する気泡を目視にて確認し、下記評価基準で評価した。
＜衝撃を与えた後の気泡発生状況の評価方法＞
また、上記得られたノック式ボールペン体を、ペン先を下向きにして、ノックを５回行った後、ペン先を下向きにして、上記５０℃、３０％ＲＨの雰囲気下で１週間保管し、左記の期間が経過した後に、ペン先を下向きのまま室温で６時間放置し、インキとインキ追従体界面に出現する気泡を目視にて確認し、下記評価基準で評価した。
【００３４】
評価基準：
○：インキとインキ追従体界面に気泡が全く存在しない。
△：インキとインキ追従体界面に直径１ｍｍ未満の気泡が１個存在する。
×：インキとインキ追従体界面に直径１ｍｍ以上の気泡が１個以上、若しくは直径１ｍｍ未満の気泡が２個以上存在する。
【００３５】
【表１】
0005288788.tif 000002
【００３６】
上記表１中の着色剤Ａ，Ｂ、分散剤Ａ，Ｂは下記のとおりである。
着色剤Ａ：Ｃｈｒｏｍｏｆｉｎｅ  Ｂｌｕｅ  ４９６５（青色顔料、大日精化工業社製）
着色剤Ｂ：ＷＡＴＥＲ  ＢＬＡＣＫ  Ｒ４５５（黒色染料、オリエント化学工業社製）
分散剤Ａ：ジョンクリルＪ６２（ＢＡＳＦジャパン社製）
分散剤Ｂ：ジョンクリル７００１（ＢＡＳＦジャパン社製）
【００３７】
上記表１の結果から明らかなように、本発明の範囲となる実施例１〜８の各水性インキ組成物（ゲルインキ水性ボールペン用インキ）は、本発明の範囲外となる比較例１〜６に較べて、経時的な気泡の抑制・持続効果、経時保管後に筆記具（ノック式筆記具を含む）内に発生した気泡に対しても、優れた気泡除去効果に優れていることが判明した。
これに対して、比較例１〜６は、実施例１〜８のシトルリン及び一つ以上のシトルリン残基を含むアミノ酸の重合体の中から選ばれる少なくとも１種を含有しないインキの配合組成であり、これらの場合は、経時後においてノック等による衝撃で発生した気泡を抑制できないことが判った。また、通常、水性インキ組成物は、経時によりｐＨが低下する傾向を示すが、本願発明（実施例１〜８）の水性インキ組成物はｐＨの低下が緩和されるという特性があることが判った。